(57)【要約】【課題】部品点数を少なくし、光軸方向に対する厚さを薄くした撮像素子の位置調整装置及びそれを用いたカメラを提供することを課題とする。【解決手段】撮像素子と、前記撮像素子を収納し、固定保持する固定部材と、前記固定部材を移動可能に保持する底部と周壁部とからなる枠部材と、前記固定部材と前記枠部材との間に、前記固定部材の位置を調整する調整部と、前記周壁部に形成された端面に対向するように前記枠部材に取り付けられた平板状部材と、を具備するように撮像素子の位置調整装置を構成する。【選択図】図１
2007148020.tif 000002
【特許請求の範囲】
【請求項１】
撮像素子と、
前記撮像素子を収納し、固定保持する固定部材と、
前記固定部材を移動可能に保持する底部と周壁部とからなる枠部材と、
前記固定部材と前記枠部材との間に、前記固定部材の位置を調整する調整部と、
前記周壁部に形成された端面に対向するように前記枠部材に取り付けられた平板状部材と、を備えたこと
を特徴とする撮像素子の位置調整装置。
【請求項２】
前記固定部材の側部に、前記平板状部材に向かうようなテーパが形成された傾斜部を設けたこと
を特徴とする請求項１に記載の撮像素子の位置調整装置。
【請求項３】
前記固定部材に形成された対向する辺において、一方の辺に弾性部材が、他方の辺に調整具が設けられていること
を特徴とする請求項２に記載の撮像素子の位置調整装置。
【請求項４】
前記枠部材の底部には、前記固定部材を押圧して前記平板状部材に固定するための固定具が設けられていること
を特徴とする請求項２に記載の撮像素子の位置調整装置。
【請求項５】
撮像素子と、
前記撮像素子を収納し、固定保持する固定部材と、
前記固定部材を移動可能に保持する底部と周壁部とからなる枠部材と、
前記固定部材と前記枠部材との間に、前記固定部材の位置を調整する調整部と、
前記周壁部に形成された端面に対向するように前記枠部材に取り付けられた平板状部材と、
被写体からの光を前記撮像素子に結像させる光学系と、を備えたこと
を特徴とするカメラ。
【発明の詳細な説明】
【技術分野】
【０００１】
本発明は、撮像素子の位置を調整する調整装置に係り、特に、カメラに用いられる撮像素子の位置調整装置及びその位置調整装置を用いたカメラに関する。
【背景技術】
【０００２】
一般に、ビデオカメラ、デジタルスチルカメラ、産業用カメラ等の撮像素子を使用したカメラにおいて、レンズ鏡筒によって結像される光線に対して、撮像素子の位置及び姿勢を精度よく固定することは、レンズの結像性能を最大限に引き出し、画像の品質を安定させるためには必要不可欠であることが知られている。
【０００３】
また、鏡筒部品の精度ばらつき、撮像素子のパッケージ内部での受光素子の位置ばらつき、製造工程における作業ばらつき等の要因により、そうした結像性能を確保するために、撮像素子の位置をレンズ鏡筒に固定した後に、微調整する必要が生じる場合があることも知られている。
【０００４】
このような撮像素子の位置を調整するものとして、光軸に垂直で撮像素子の受光面と平行な平面上において、撮像素子の水平方向（Ｘ方向）に動く部材と、垂直方向（Ｙ方向）に動く部材とが、それぞれ独立して構成されている装置が知られている。このような装置では、撮像素子はいずれか一方の部材に固定され、その部材が、もう一方の部材の面上をスライドできるような機構に取り付けられている。そして、２つの部材が一体となり、レンズ鏡筒に固定された部材上をスライドできる機構に取り付けられている（特許文献１乃至文献４参照）。
【０００５】
また、撮像素子の位置を調整するものとして、撮像素子を固定した板金に長穴を設け、押しねじでたわませることにより、撮像素子の位置を調整するような機構も知られている（特許文献５参照）。
【０００６】
さらに、押しねじを使わずに、偏心ねじを回すことによって、撮像素子を固定した部材の位置を調整するような調整機構も知られている（特許文献６参照）。
【０００７】
【特許文献１】実開昭５７−９４２７１号公報
【特許文献２】実公平５−２６８５９号公報
【特許文献３】特開昭５７−６６４２８号公報
【特許文献４】特開昭６０−６９９５５号公報
【特許文献５】特開昭６０−２２０６７０号公報
【特許文献６】特開昭６１−２５９５９９号公報
【発明の開示】
【発明が解決しようとする課題】
【０００８】
しかし、上記した特許文献１乃至４に開示された撮像素子の位置を調整する装置においては、装置を構成する部品点数が多いため、装置の製造コストが高くなるとともに、装置が大きくなって重量がかさみ、特に、光軸方向に対する位置調整装置の厚さが厚くなるという問題が生じる。
【０００９】
また、特許文献５に開示された調整機構においては、板金をたわませるために、その面上に固定された撮像素子の光軸方向の位置やいわゆるアオリ(光軸基準の撮像素子受光面の垂直度)も変わりやすく、撮像素子の位置精度を維持することが難しいという問題がある。
【００１０】
また、特許文献６に開示された調整機構においては、撮像素子の光軸方向に対するＸ−Ｙ方向および回転方向の動きに独立性がなく、それらを分離して、たとえばＸ方向の位置だけを微小に動かすような調整が難しいという問題がある。
【００１１】
本発明は、上述の問題点を考慮し、部品点数を少なくし、光軸方向に対する厚さを薄くした撮像素子の位置調整装置及びそれを用いたカメラを提供することを目的とするものである。
【課題を解決するための手段】
【００１２】
上記の目的を解決するために、本発明に係る撮像素子の位置調整装置は、撮像素子と、前記撮像素子を収納し、固定保持する固定部材と、前記固定部材を移動可能に保持する底部と周壁部とからなる枠部材と、前記固定部材と前記枠部材との間に、前記固定部材の位置を調整する調整部と、前記周壁部に形成された端面に対向するように前記枠部材に取り付けられた平板状部材と、を備えた構成とする。
【００１３】
以上のように、本発明に係る撮像素子の位置調整装置では、枠部材と固定部との間に調整部を設け、枠部材に固定部と調整部を収めていることから、特別な固定具を別途設ける必要がなくなり、部品点数を少なくすることができる。また、光軸方向の装置の厚さを小さくできる。
【００１４】
好ましくは、本発明に係る撮像素子の位置調整装置の固定部材の側部に、前記平板状部材に向かうようにテーパが形成された傾斜部を設けている構成とする。
【００１５】
このようすることで、調整部から固定部材に作用する力を、傾斜部により２方向に分けることができるため、固定用のねじ等の部品を少なくすることができる。
【００１６】
また、上記の目的を解決するために、本発明に係るカメラは、撮像素子と、前記撮像素子を収納し、固定保持する固定部材と、前記固定部材を移動可能に保持する底部と周壁部とからなる枠部材と、前記固定部材と前記枠部材との間に、前記固定部材の位置を調整する調整部と、前記周壁部に形成された端面に対向するように前記枠部材に取り付けられた平板状部材と、被写体からの光を前記撮像素子に結像させる光学系と、を備えた構成とする。
【００１７】
このようにすることで、本発明に係るカメラでは、枠部材と固定部との間に調整部を設け、枠部材に固定部と調整部を収めていることから、特別な固定具を別途設ける必要がなくなり、部品点数を少なくすることができるので、カメラを小型にできる。
【発明の効果】
【００１８】
本発明に係る撮像素子の位置調整装置によれば、調整機構を構成する枠部材の中に、固定部材及び調整部を収納するので、調整機構の光軸方向の厚さを薄くでき、撮像素子の位置調整装置を小型にすることができる。
【００１９】
また、本発明に係る撮像素子の位置調整装置によれば、撮像素子の位置を調整する機構の部品点数を少なくするので、位置調整装置の組立て性及びメンテナンス性を向上させることができる。
【００２０】
本発明に係るカメラによれば、そのような撮像素子の位置調整装置を用いることで、調整機構の光軸方向の厚さを薄くできるので、カメラを小型にすることができる。
【発明を実施するための最良の形態】
【００２１】
以下、本発明に係る撮像素子の位置調整装置を実施するための最良の形態について、図面を参照して説明するが、本発明は以下の形態に限定されるものではない。また、本発明に係る撮像素子の位置調整装置を用いたカメラについては、撮像素子の位置調整装置と併せて説明する。
【００２２】
図１は、本発明に係る撮像素子の位置調整装置を枠部材側からみた際の分解斜視図である。また、図２は、本発明に係る撮像素子の位置調整装置をレンズ鏡筒側からみた際の分解斜視図である。
【００２３】
図１及び図２に示すように、レンズ群を内包したレンズ鏡筒１の端部には、撮像素子の位置決め基準となるべき取付基準面１ａがある。その鏡筒に設けられた取付基準面１ａに対して、スペーサー２を挟むようにして、鏡筒１と接続するための接続部材３を構成要素として含む撮像素子の位置調整装置２０が取り付けられる。
【００２４】
ここで、撮像素子の位置調整装置２０は、上述した接続部材３の他、板金４、撮像素子固定ブロック５、受光面を有する撮像素子６、フレーム７、位置調整ねじ８、バネ９、固定ねじ１０により構成されている。
【００２５】
接続部材３は、レンズ鏡筒１と嵌合するための円筒部３ａと、ねじ等（図示せず）によって板金４を固定保持するための凸状の固定部３ｂとを備えるように構成されている。また、板金４と対向するように設けられた固定部３ｂの平面３１には、板金４を固定するためのねじを挿入するための複数のねじ穴３ｃが、略等間隔で形成されている。
【００２６】
平板状部材としての板金４は、矩形の平板部材で構成されており、中央部には、レンズから入射した光を通過させるための孔４ａが形成されている。また、板金４の長手方向の両端部には、板金４を接続部材３に取り付けるねじを貫通させるための複数のねじ孔４ｂが、接続部材３に設けられたねじ穴３ｃに合致するように形成されている。
【００２７】
固定部材である撮像素子固定ブロック５（以下、固定ブロックという）は、略正方形状の枠部材で構成されており、中央部に撮像素子６を収納するための凹部５２が形成されている。なお、凹部５２の深さは、撮像素子６が収納できるように設定されている。また、固定ブロック５には、２組の対向する辺（５ａと５ａ’、５ｂと５ｂ’）の組み合わせからなる４つ辺が形成されている。
【００２８】
枠部材であるフレーム７は、正方形状の平板からなる底部７ａと、平板の外周端部に沿って設けられた周壁部７ｂとから構成されている。周壁部７ｂは、所定の幅と所定の高さを有しており、周壁部７ｂの高さは、固定ブロック５の高さと略一致するように形成されている。すなわち、フレーム７には、底部７ａと周壁部７ｂとによって、撮像素子６が固定された固定ブロック５を収納するための凹部７０が形成される。これにより、板金４とフレーム７とを組み合わせた際に、固定ブロック５をフレーム７内に収納することができる。
【００２９】
また、底部７ａの中央部には、固定ブロック５の一部と嵌合するような開口７２が形成されている。
【００３０】
図２に示すように、周壁部７ｂの端部には平面を有する端面７ｃが形成されている。この端面７ｃと板金４の平面４１とを合致させて、フレーム７と板金４とがねじ等により組み付けられる。
【００３１】
フレーム７の端面７ｃには、ばね９を収納するための複数の切欠き部７４が設けられている。具体的には、２箇所の切欠き部７４が、固定ブロック５が有する辺５ａと対向する周壁部７ｂに形成されている。また、同様に、２箇所の切欠き部７４が、固定ブロック５の辺５ｂ’に対向する周壁部７ｂに形成されている。
【００３２】
また、周壁部７ｂの側部には、位置調整ねじ８ａ〜８ｃを挿入するため、３箇所の挿入穴７５が形成されている。具体的には、１箇所の挿入穴７５が、固定ブロックの辺５ａ’に対向する周壁部７ｂに形成されている。なお、この挿入穴７５は、辺５ａ’の中央に対向するような位置に形成される。
【００３３】
同様にして、２箇所の挿入孔７５が、固定ブロックの辺５ｂに対向する周壁部７ｂに形成されている。なお、挿入穴７５の先端部には、位置調整ねじ８の先端部分を挿入する貫通孔が形成されており、この貫通孔には位置調整ねじ８に設けられている雄ねじと係合するような雌ねじが形成されている。
【００３４】
図１に示すように、フレーム７の底部７ａの隅部には、固定ねじ１０ａ〜１０ｄを貫通させて、固定ブロック５に当接させるための固定ねじ孔７３が形成されている。なお、この固定ねじ孔７３には、固定ねじ１０に設けられている雄ねじと係合するような雌ねじが形成されている。
【００３５】
周壁部７ｂの挿入穴７５に挿入される位置調整ねじ８ａ〜８ｃには、雄ねじが形成されている。また、弾性部材であるバネ９ａ〜９ｄは、所定の弾性力を有するように、所定の長さを有するように構成されている。
【００３６】
固定ねじ１０ａ〜１０ｄは、先端部分に雄ねじが形成されている。なお、固定ねじ孔７３に挿入する際の固定ねじ１０の繰り出し量によって、フレーム７に固定された板金４に対する固定ブロック５の押圧力を調整することができる。
【００３７】
その間に平板状の板金４が挟まれた状態で、レンズ鏡筒１に取り付けられた接続部材３とフレーム７とは、精度よく位置決めされており、ねじ等によって接続部材３に強固に固定されている。
【００３８】
一方、撮像素子６は、凹部５２に収納された状態で、接着等により固定ブロック５に強固に固定されている。
【００３９】
このように、調整部である位置調整ねじ８ａ〜８ｃとバネ９ａ〜９ｄによって、フレーム７の内部において固定ブロック５は、板金４に対して移動可能に構成されている。また、撮像素子６と固定ブロック５とは一体であるため、フレーム７の内部において、撮像素子６は、板金４の平面４１に対して移動可能な構造となっている。
【００４０】
またフレーム７の背面には、固定ねじ１０ａから１０ｄが挿入されており、このねじを締めこむことにより、固定ブロック５を板金４の平面４１に強く押し付けることができる。これによって、撮像素子６を、光軸に垂直な平面上で位置が動かぬように、固定することが可能である。
【００４１】
図３は、固定ブロック５をフレーム７に取り付けた状態で、光軸と垂直な方向に切断した際の断面図である。また、図４は、図３中に示すＡ−Ａ線に沿って切断した際の断面図である。
【００４２】
図３に示すように、固定ブロック５の側面５０とフレーム７との間には、調整具である位置調整ねじ８及び弾性部材であるばね９とからなる調整部が、固定ブロック５を挟んで対向する向きに配置されている。
【００４３】
すなわち、固定ブロックの辺５ａとフレーム７との間には、フレーム７の切欠き部７４に収納された２本のばね９ａ、９ｂが配置されている。一方、辺５ａと対をなす辺５ａ’とフレーム７との間には、フレーム７の挿入穴７５に挿入された１本の位置調整ねじ８ｃが配置されている。
【００４４】
また、固定ブロックの辺５ｂとフレーム７との間には、フレーム７の切欠き部７４に収納された２本のばね９ｃ、９ｄが配置されている。一方、辺５ｂと対をなす辺５ｂ’とフレーム７との間には、フレーム７の挿入穴７５に挿入された位置調整ねじ８ａ、８ｂが配置されている。
【００４５】
図４に示すように、配置された位置調整ねじ８ａ〜８ｃ及びばね９ａ〜９ｄは、いずれも、光軸方向を基準としたフレーム７の高さ及び固定ブロック５の高さの範囲内に収まるように配置されている。これにより、フレーム７と平板４とを組み付けた際に、調整部をフレーム７内に収納することができるので、光軸方向における位置調整装置の厚さを薄くすることができる。
【００４６】
次に、レンズ鏡筒１に対する撮像素子６の位置を調整する方法について以下に述べる。
【００４７】
まず、撮像素子６の光軸方向に対する位置を調整する方法について説明する。
【００４８】
撮像素子６の光軸方向に対する位置を調整する方法としては、基準面１ａと接続部材３の間に配置されるスペーサー２の厚みを変えることにより、光軸方向において、鏡筒１に対する撮像素子の位置調整装置２０全体の取り付け位置を、任意に調整することができる。
すなわち、鏡筒１に内包されたレンズの結像位置のばらつき、および撮像素子６内部の受光面高さのばらつきは、このスペーサー２の厚さを適切に選択することにより、調整することができる。
【００４９】
次に、光軸に垂直な平面上での撮像素子６の位置を調整する方法について説明する。
【００５０】
図３に示すように、本実施形態に係る撮像素子の位置調整装置２０においては、固定ブロック５の側面５０とフレーム７との間に、３本の位置調整ねじ８ａ〜８ｃおよび４本のばね９ａ〜９ｄが配置されている。
【００５１】
ここで、図中の破線の矢印で示されたＸ方向を撮像素子６の水平方向、Ｙ方向を撮像素子６の垂直方向と定義する。
【００５２】
本実施形態では、固定ブロック５の辺５ｂ’に対向するように取り付けられた位置調整ねじ８ａおよび８ｂを回すことにより、固定ブロック５を撮像素子６の水平方向（Ｘ方向）に動かすことができ、固定ブロック５の辺５ａ’に対向するように取り付けられた位置調整ねじ８ｃを回すことにより、固定ブロック５を撮像素子６の垂直方向（Ｙ方向）に動かすことができる。
【００５３】
すなわち、撮像素子６の受光面の中心とレンズの光軸とを略一致させ、レンズの有効像円内部に完全に撮像素子の受光面が収まるように調整する場合には、まずカメラで撮影しながら、テレビモニターの画面内の画像の四隅に、レンズの有効像円から撮像素子の受光面がはみ出すことによって出来る暗部（像のケラレ）が出なくなるまで、位置調整ねじ８ａ〜８ｃを回す。そして、適切な位置に来たところで、フレーム７の背面から挿入された固定ねじ１０ａ〜１０ｄを締めこむことで、固定ブロック５を、板金４に押し付けて固定することにより調整作業が完了する。
【００５４】
次に、撮像素子６の光軸周りの回転位相を調整する方法について説明する。
【００５５】
光軸周りの回転位相を調整する方法としては、本実施形態では、位置調整ねじ８ａ及び８ｂの２本が、固定ブロック５を撮像素子の水平方向（Ｘ方向）に動かす構造である。そのため、位置調整ねじ８ａおよび８ｂの締め込み量に故意に差をもうけることによって、フレーム７に対して固定ブロック５を傾けることができ、これにより、撮像素子６の光軸周りの回転位相を調整することが可能である。
【００５６】
また、撮像素子６の光軸周りの回転位相を調整する別の方法について説明する。
【００５７】
上述したように、レンズ鏡筒１と接続部材３との接続部分は、嵌合可能な円筒部３ａが形成されているが、本実施形態では、この嵌合部分は相互に精度よく隙間ばめが可能となるように構成されている。従って、鏡筒１の円筒面の中心軸（レンズの光軸と一致）を中心に、撮像素子６を含む位置調整装置２０を任意の角度に回転させることができるため、撮像素子６の光軸周りの回転位相を調整することができる。
【００５８】
また、カメラに対するレンズ鏡筒１の取り付けばらつき、および撮像素子内部の受光面傾きのばらつきを吸収し、カメラの水平基準面（底部の三脚取付面等）と撮像素子の受光面との水平を出す場合には、カメラは水平な雲台等に固定した状態で撮影しながら、画像がテレビモニターの画面に対して水平になるように調整作業を実行するが、この際に上記のいずれかの方法により作業を行うことができる。なお、この場合には、両方の方法を併用することにより調整することも可能である。
【００５９】
上述した調整ねじ８ａ〜８ｃを回して、光軸に垂直な平面上の位置もしくは光軸周りの回転位相を調整する過程では、光軸に対して受光面が傾いていると、画面の中で像の焦点がボケる場所が出てきてしまい、画像を見ながら位置調整することが困難になるため、撮像素子の受光面は光軸に対して常に垂直な姿勢を維持する必要がある。このため、従来の技術には、撮像素子を鏡筒の基準面に常に押し当てるためにばねを挿入するようなものもあるが、この場合には、部品点数も増え、装置の大きさも大きくなってしまう。
【００６０】
図４に示すように、固定ブロック５の辺５ａ’とフレーム７との間に配置された位置調整ねじ８ｃ及び辺５ａ’に対向する辺５ａとフレーム７との間に配置されたばね９ｂ（ばね９ａは図示せず）は、固定ブロック５の側部５０に当接して、ばね９の弾性力によって固定ブロック５を押圧する。
【００６１】
また、固定ブロック５の側部５０には、固定された板金４に向かう傾斜角度θを有するテーパを形成することで、傾斜部５１が設けられている。このように、固定ブロック５の側部５０にテーパを形成し傾斜部を設けることにより、バネの弾性力によって発生する押圧力を２方向に分けることができる。なお、この傾斜部５１は、固定ブロック５と調整ねじ８ａ〜８ｃ及びばね９ａ〜９ｄとが当接する部分にのみに形成するようにしてもよい。
【００６２】
図５は、固定ブロック５の傾斜部５１において、バネ９の押圧により発生する反力ベクトルの相関図である。
【００６３】
図５に示すように、位置調整ねじ８の推力およびばね９の反力ベクトルＦは、固定ブロック５を板金の平面４１に対して平行に動かす（ＸまたはＹ方向）のベクトルＦｘ、Ｆｙと、固定ブロック５を板金４に押し付ける方向（Ｚ方向）のベクトルＦｚとに振り分けられる。このため、ベクトルＦｘ，Ｆｙの作用により、固定ブロック５は、板金４の平面に沿った状態で動くことが可能であり、また、ベクトルＦｚの作用により、固定ブロック５は、常に板金４に押圧された状態となる。
【００６４】
なお、傾斜部５１の傾斜を寝かせた状態（傾斜角度θを小さくする）にすると、ベクトルＦｚが大きくなり、固定ブロック５を板金４に押圧する力が強くなるが、その一方で、ベクトルＦｘ、Ｆｙが小さくなり、板金４に対して固定ブロック５の位置がずれやすくなるので、光軸周りの回転位相を微調整することが難しくなる。
【００６５】
このように、本実施形態の位置調整装置２０によれば、傾斜部５１の傾斜角度θを調整することにより、固定ブロック５を板金４に押し付ける力及び固定ブロック５を板金４の平面４１上で動かす力を調整することができる。すなわち、傾斜部５１の傾斜角度θは、位置調整装置２０が用いられる目的によって、適宜設定すればよい。
【００６６】
本発明に係る撮像素子の位置調整装置２０によれば、傾斜部５１を設けることにより、位置調整ねじ８とばね９の作用によって固定ブロック５に生じる力を、撮像素子６のＸ−Ｙ方向の力だけではなく、撮像素子６を鏡筒１の基準面に常に押し当てる力にわけることができる。このため、従来のように、撮像素子を鏡筒の基準面に常に押し当てるための特別なばねを設ける必要がなくなるので、部品点数を少なくすることができる。
【００６７】
なお、位置調整ねじ８とばね９の組み合わせによる調整機構を用いるような場合には、経年変化や振動によりねじが緩んだり、あるいは落下、衝撃によりばねが変形することによって、調整した位置から撮像素子が動いてしまうようなことも考えられる。これを防ぐために、位置調整後に接着剤等を流し込んで固定ブロック５を固定する方法が考えられるが、この方法では、再調整が不可能となったり、また、接着剤の変質によって固定した位置が動いたりする不具合が考えられていた。
【００６８】
このように経年変化等により再調整が必要になった場合であっても、本発明に係る撮像素子の位置調整装置２０によれば、調整後にフレーム７の背面に設けられた固定ねじ１０ａ〜１０ｄによって、固定ブロック５を板金４に押し付けて固定しているため、ねじ緩みやばね変形が起きても撮像素子６が動くことはない。また、再調整する必要が生じた場合は、固定ねじ１０ａ〜１０ｄを緩めることにより、初期の状態に戻すことができるので、何回でも再調整することができる。
【００６９】
図６は、本発明に係る撮像素子の位置調整装置２０をカメラに適用した場合における光学系の模式図である。
【００７０】
図６に示すように、被写体のある一点１０１からの光は、レンズ１０２で平行光１１１となり、例えば、開口部の面積を調整できる光調整手段１０３によって光量が調整された後に、レンズ１０４を通って、図示しないカメラに組み込まれた位置調整装置２０が備える撮像素子６の撮像面に結像する。その他の構成、動作は、通常のカメラと同様であるため、ここでは説明を省略する。
【００７１】
本発明に係る撮像素子の位置調整装置２０によれば、撮像素子の位置を調整する場合に、複雑な機構を用いる必要がないため、装置の部品点数が少なく、製造ラインでの組み立て性やサービス部門でのメンテナンス性を向上させることができる。また、位置調整装置を安価に製造することができる。
【００７２】
また、撮像素子６を固定するブロック７が有する厚みの範囲内で、撮像素子の水平・垂直方向の調整機構及び光軸方向に対する撮像素子の位置を決める機構を収めることができるので、位置調整装置２０の小型化を図ることができ、特に、光軸方向に対する位置調整装置２０の薄型化が可能である。
【００７３】
さらに、本発明に係る撮像装置の位置調整装置２０によれば、調整部であるねじの押し込み量や、緩めの量を調整するだけで、撮像素子を所定量動かすことができるので、撮像素子の位置調整を簡単に行うことができる。また、光軸周りの回転位相を調整する場合にも、撮像装置の水平方向、垂直方向で別個に調整することができるので、精度の高い位置調整を行うことができる。
【００７４】
また、フレーム７の背面に設けられた固定ねじ１０により、撮像素子をしっかりと固定することができるので、撮像素子の位置がずれることを防ぐことができる。また、一旦調整作業を行った後に、経年変化によりねじ緩みや衝撃によって位置がずれてしまった場合であっても、フレーム背面に設けられた固定ねじ１０を緩めることにより、何回でも位置を再調整することができる。
【図面の簡単な説明】
【００７５】
【図１】図１は、本発明に係る撮像素子の位置調整装置を枠部材側からみた際の分解斜視図である。
【図２】図２は、本発明に係る撮像素子の位置調整装置をレンズ鏡筒側からみた際の分解斜視図である。
【図３】図３は、固定ブロックをフレームに取り付けた状態で、光軸と垂直な方向に切断した際の断面図である。
【図４】図４は、図３中に示すＡ−Ａ線に沿って切断した際の断面図である。
【図５】図５は、固定ブロックの傾斜部において、バネの押圧により発生する反力ベクトルの相関図である
【図６】図６は、本発明に係る撮像素子の位置調整装置をカメラに適用した場合における光学系の模式図である。
【符号の説明】
【００７６】
１・・レンズ鏡筒、２・・スペーサ、３・・接続部材、３ａ・・円筒部、３ｂ・・固定部、３ｃ・・ねじ穴、３１・・平面、４・・板金、４ａ・・孔、４ｂ・・ねじ穴、４１・・平面、５・・撮像素子固定ブロック（固定ブロック）、５０・・側部、５１・・テーパ（傾斜部）、５２・・凹部、５ａ、５ａ’・・対向辺、５ｂ、５ｂ’・・対向辺、６・・撮像素子、７・・フレーム、７ａ・・底部、７ｂ・・周壁部、７ｃ・・端面、７０・・凹部、７１・・開口、７２・・底部開口、７３・・固定ねじ孔、７４・・切欠き部、７５・・挿入孔、８ａ〜８ｃ・・位置調整ねじ、９ａ〜９ｄ・・ばね、１０ａ〜１０ｄ・・固定ねじ、２０・・撮像素子の位置調整装置、１０１・・被写体、１０２，１０４・・レンズ
【図１】
2007148020.tif 000003
【図２】
2007148020.tif 000004
【図３】
2007148020.tif 000005
【図４】
2007148020.tif 000006
【図５】
2007148020.tif 000007
【図６】
2007148020.tif 000008